(57)【要約】      （修正有）【課題】操作性に優れた定規を提供する。【解決手段】定規１は、平坦な定規本体２と、定規本体２の下面に形成された収容穴３と、収容穴３に隙間無いように収容された第１接触体４と、第１接触体４から外部に突出する第２接触体５とを備える。定規本体２の下面を当接面に向けて定規１を当接面に載置し、定規本体２の上面を下方に向けて押圧することにより、第１接触体４が当接面に接触すると、第１接触体４と当接面との間の摩擦力により、定規１が当接面に対して固定した状態になる。【選択図】図１
2013154562.tif 000002
【特許請求の範囲】
【請求項１】
収容穴が形成された定規本体と、
前記収容穴に隙間無いように収容された弾性の第１接触体と、
前記第１接触体から外部に突出する第２接触体と、を備える定規。
【請求項２】
前記第２接触体は、外部に露出した曲面を有している、請求項１に記載の定規。
【発明の詳細な説明】
【技術分野】
【０００１】
本発明は、線を描くとき等に用いる定規に関する。
【背景技術】
【０００２】
従来から、線を描いたり長さを測定するときに用いる定規として、図５に示すような定規が知られていた（例えば、特許文献１参照）。図５は、従来の定規の一部を示す断面図であり、この図５に示す定規１００は、紙などが配置された当接面１０５に当接させて使用するものであり、貫通孔１０４が形成された定規本体１０１と、貫通孔１０４を覆った状態で定規本体１０１の下面に取り付けられた第１接触体１０２と、第１接触体１０２の下面に取り付けられた第２接触体１０３と、を備えている。第１接触体１０２は、当接面１０５に対して滑りにくい材質から形成されており、一方、第２接触体１０３は、当接面１０５に対して滑りやすい材質から形成されている。
【０００３】
上記のような構成を備える定規１００を使用するときは、まず、定規本体１０１の下面を当接面１０５に向けた状態で定規１００をこの当接面１０５に置き、第２接触体１０３のみが当接面１０５に接触した状態にする。この状態で、定規１００が動かないようにする場合は、定規本体１０１を当接面１０５に向かって押圧する。そうすると、押圧力により第２接触体１０３が貫通孔１０４内に押し込まれると共に、第２接触体１０３の周囲の第１接触体１０２が当接面１０５に接触する。これにより、当接面１０５に対して滑りにくい材質である第１接触体１０２が当接面１０５に接触するので、定規１００が当接面１０５に対して滑ることがなくなり、固定される。そして、この状態で定規１００に沿って線を描いたり長さを測定したりする。
【０００４】
一方、当接面１０５に対して定規１００を動かす場合は、定規本体１０１に対する押圧を解除し、第１接触体１０２と当接面１０５との接触を解除することにより、再び第２接触体１０３のみが当接面１０５に接触する状態にする。これにより、当接面１０５に対して滑りやすい材質である第２接触体１０３のみが当接面１０５に接触するので、定規１００を当接面１０５に沿って滑動させることができる。
【先行技術文献】
【特許文献】
【０００５】
【特許文献１】実開昭６０−２４５９６号公報
【発明の概要】
【発明が解決しようとする課題】
【０００６】
しかしながら、上記のような定規１００では、第１接触体１０２及び第２接触体１０３を押圧力により貫通孔１０４内に押し込むときに、第１接触体１０２が貫通孔１０４を覆っているので貫通孔１０４内に押し込みにくく、大きな押圧力を加えることが必要になっていた。そのため、定規１００を使用するときに大きな力を要するので、操作性が良くないという問題があった。また、押圧力が小さいと、第１接触体１０２及び第２接触体１０３が貫通孔１０４内に押し込まれず、定規１００を当接面１０５に対して固定できないという問題があった。また、第１接触体１０２の位置により押圧力に偏りが生じることもあり、定規１００をバランスよく固定できないという問題もあった。また、定規本体１０１の下面側に常に第１接触体１０２があるので、定規本体１０１と当接面１０５との間に隙間ができてしまい、定規１００の操作性が悪くなるという問題があった。また、貫通孔１０４を覆った第１接触体１０２を貫通孔１０４内に押し込むため、貫通孔１０４の孔径をある程度大きくしなければならなかった。そのため、定規本体１０１の貫通部分が増え、定規１００の操作性が悪くなるという問題があった。
【０００７】
本発明は、上記問題を解決するためになされたものであって、操作性に優れた定規の提供を目的とする。
【課題を解決するための手段】
【０００８】
本発明は、上記課題を解決するための定規であって、収容穴が形成された定規本体と、前記収容穴に隙間無いように収容された弾性の第１接触体と、前記第１接触体から外部に突出する第２接触体と、を備えている。
【０００９】
このような構成によれば、定規本体の一方面を当接面に向けて定規を当接面に載置し、この定規を押圧すると、第２接触体が収容穴に押し込まれると共に、第１接触体が収容穴から外部に押し出され、当接面に接触する。これにより、第１接触体と当接面との摩擦により定規の滑り止めをすることができる。また、定規の押圧を解除したときは、第２接触体のみが当接面に接触することにより、定規を当接面に沿って滑らかに動かすことができる。また、第１接触体が収容穴に隙間無いように収容されているので、小さな押圧力で第１接触体を当接面に接触させることができる。すなわち、上記のような構成によれば、定規を押圧したときに、第１接触体が収容穴内で行き場を無くすことにより、すぐに収容穴から外部に膨れ出すので、大きな押圧力を加えなくても、第１接触体を収容穴から外部に出して、当接面に接触させることができる。したがって、定規に大きな押圧力を加えなくても定規の滑り止めをすることがでる。これにより、定規の優れた操作性を得ることができる。
【００１０】
また、上記の定規において、前記第２接触体は、外部に露出した曲面を有していることが好ましい。
【発明の効果】
【００１１】
本発明の定規によれば、優れた操作性を得ることができる。
【図面の簡単な説明】
【００１２】
【図１】本発明の一実施形態に係る定規の（ａ）下面図、及び、（ｂ）側面図である。
【図２】図１の定規の（ａ）上面側から視た斜視図、及び、（ｂ）下面側から視た斜視図である。
【図３】図１のＡ−Ａ断面図である。
【図４】定規を押圧したときの断面図である。
【図５】従来の定規の一部を示す断面図である。
【発明を実施するための形態】
【００１３】
以下、本発明の実施形態について添付図面を参照して説明する。図１は、本発明の一実施形態に係る定規の（ａ）下面図、及び、（ｂ）側面図であり、図２は、図１の定規の（ａ）上面側から視た斜視図、及び、（ｂ）下面側から視た斜視図であり、図３は、図１のＡ−Ａ断面図である。
【００１４】
図１〜図３に示すように、定規１は、平坦な定規本体２と、定規本体２の下面に形成された収容穴３と、収容穴３に隙間無いように収容された第１接触体４と、第１接触体４から外部に突出する第２接触体５と、を備えている。
【００１５】
定規本体２は、平面視長方形状の透明なアクリル板から形成されており、長辺に沿って目盛りが付されている。また、定規本体２の上面及び下面は、平らな面として形成されている。
【００１６】
収容穴３は、定規本体２の下面を定規本体２の厚み方向に切り欠くことにより形成されており、この収容穴３は、定規本体２の厚み方向に貫通しておらず、底部３０を有している。また、収容穴３は、定規本体２の幅方向（短辺方向）に延びるように形成されている。
【００１７】
第１接触体４は、弾性を有する透明な部材からなり、収容穴３に緊密に充填されている。また、第１接触体４は、その露出面４０の高さ位置が定規本体２の下面の高さ位置と一致するように配置されていることが好ましい。第１接触体４の材質としては、第２接触体５の材質より柔らかく、定規１が当接する当接面１０との間で大きな摩擦力が生じるものが好ましい。このような材質としては、例えば、シリコンゴムなどを用いることができる。また、第１接触体４の幅（収容穴３の幅）ｗ１は、適宜設計変更可能である。
【００１８】
第２接触体５は、第１接触体４に埋め込まれており、先端部が第１接触体４から突出し、外部に露出している。この第２接触体５は、第１接触体４と一体的に成型されることが好ましいが、第１接触体４と別に成型し、成型したものを第１接触体４に埋め込む構成であってもよい。また、第２接触体５は、外部に露出した曲面５０を有している。第２接触体５の材質としては、第１接触体４の材質より硬く、定規１が当接する当接面１０との間であまり摩擦力が生じないものが好ましい。このような材質としては、例えば、エラストマー、テフロン（登録商標）樹脂などを用いることができる。また、第２接触体５の幅ｗ２は、適宜設計変更可能である。また、第２接触体５の第１接触体４からの突出高さｗ３は、特に限定されるものではないが、０．５ｍｍ以下であることが好ましい。
また、第１接触体４及び第２接触体５の当接面１０に対する動摩擦係数は、特に限定されるものではないが、それぞれ、１．５以上及び０．２以下が好ましい。この動摩擦係数は、例えば、ＪＩＳ  Ｋ７１２５に規定する摩擦係数試験方法により求めることができる。本実施形態では、コピー用紙の上に試料を載せ、試料の上に２００ｇのおもりを載せた状態で、試料を１００ｍｍ／ｍｉｎの速度で６０ｍｍ牽引して動かした。そして、４０ｍｍ〜６０ｍｍの移動位置における引っ張り力の平均値から動摩擦係数を算出した。例えば、第１接触体４の試料の材質としてシリコンゴムを用いたときのコピー用紙に対する試料の動摩擦係数は１．９１である。また、第２接触体５の試料の材質としてテフロン（登録商標）シートを用いたときのコピー用紙に対する試料の動摩擦係数は０．１６である。また、第２接触体５の試料の材質としてテフロン（登録商標）クロスを用いたときのコピー用紙に対する試料の動摩擦係数は０．１１である。
【００１９】
上記のような構成を備える定規１を使用するときは、まず、定規本体２の下面を当接面１０に向けて定規１を当接面１０に載置する。そうすると、第２接触体５のみが当接面１０に接触した状態で定規１が載置される。この状態で、定規１が当接面１０に対して動かないようにする場合は、定規本体２の上面を下方に向けて押圧することにより、定規１を当接面１０に向けて押圧する。そうすると、定規本体２が下方に押圧されることにより、定規本体２の収容穴３内の第１接触体４も下方に押圧される。このとき、第１接触体４が下方に動くと、当接面１０に当接していた第２接触体５により第１接触体４が上方に押圧される。そうすると、第１接触体４は収容穴３に隙間無く充填されているので、第２接触体５による押圧により行き場が無くなり、図４に示すように、収容穴３から溢れ出るように外部に膨らみ出し、当接面１０に接触する。このように、定規本体２を押圧することにより第１接触体４が当接面１０に接触すると、第１接触体４と当接面１０との間の摩擦力により、定規１が当接面１０に対して動かなくなる。これにより、定規１を固定した状態で線を描いたり長さを測定したりすることができる。
【００２０】
一方、当接面１０に対して定規１を動かしたい場合は、定規本体２に対する押圧を解除することにより、第１接触体４と当接面１０との接触を解除する。そうすると、再び第２接触体５のみが当接面１０に接触した状態になり、定規１と当接面１０との間の摩擦力が小さくなる。これにより、定規１を当接面１０に沿って滑らすことができる。
【００２１】
このように、本発明に係る定規１によれば、定規本体２の収容穴３に収容された弾性の第１接触体４と、第１接触体４から外部に突出する第２接触体５とを備えることにより、定規１を押圧したときは第１接触体４と当接面１０との摩擦により定規１の滑り止めをすることができ、押圧を解除したときは第２接触体５のみの接触により、定規１を当接面１０に沿って滑らかに動かすことができる。また、第１接触体４が収容穴３に隙間無いように収容されているので、小さな押圧力で第１接触体４を当接面１０に接触させることができる。すなわち、上記のような構成によれば、定規１を押圧したときに、第１接触体４が収容穴３内で行き場を無くすことにより、すぐに収容穴３から外部に膨れ出すので、大きな押圧力を加えなくても、第１接触体４を収容穴３から外部に出して、当接面１０に接触させることができる。したがって、定規１に大きな押圧力を加えなくても定規１の滑り止めをすることがでる。これにより、定規１の優れた操作性を得ることができる。また、片手でも操作できる。また、収容穴３の大きさを小さくしても、第１接触体４を確実に外部に押し出すことができるので、面積が限られた定規１には特に有効な構成である。また、収容穴３を小さくて、定規本体２の下面全体にわたって複数の収容穴３を形成することもできる。これにより、定規１のどの部分を押圧しても滑り止めの機能を発揮させることができる。
【００２２】
また、第２接触体５の先端部に外部に露出する曲面５０が形成されていると、当接面１０との摩擦力をより小さくすることができ、定規１をより滑らかに動かすことができる。また、第２接触体５の第１接触体４からの突出高さｗ３を０．５ｍｍ以下にすると、定規本体２が当接面１０から浮き上がる高さを低くすることができ、定規１の操作性を更に向上させることができる。
【００２３】
以上、本発明の一実施形態について説明したが、本発明の具体的な態様は、上記実施形態に限定されるものではない。
【００２４】
例えば、上記実施形態では、収容穴３が定規本体２の幅方向に延びる構成であったが、この構成に限定されず、定規本体２の長さ方向（長辺方向）に延びる構成であってもよい。また、収容穴３の形状は特に限定されるものではなく、平面視円形、楕円形、多角形など、種々の形状にすることができる。また、収容穴３の形状に応じて、第１接触体４がこの収容穴３に緊密に収容されている。また、収容穴３の数や大きさも限定されない。
【００２５】
また、上記実施形態では、定規本体２の下面に収容穴３が形成されていたが、定規本体２の上面に形成されていてもよく、上下面の少なくとも一方に形成されていればよい。例えば、定規本体２の上下両面に収容穴３を形成することにより、上下のどちらの面を当接面１０に向けても優れた操作性を得ることができる。
【００２６】
また、上記実施形態では、第２接触体５の先端部に曲面５０を形成していたが、第２接触体５が当接面１０に対して滑動する構成であれば必ずしも曲面である必要はなく、平面であってもよい。
【００２７】
また、第１接触体４に対する第２接触体５の大きさも特に限定されるものではなく、この大きさを適宜調節することにより第１接触体４の押し出し量を調節し、定規１の使用感を調節してもよい。例えば、第１接触体４の押し出し量が少なくなるように第２接触体５の大きさを調節し、これにより、定規本体２と当接面１０との隙間を小さくして当接面１０に対する定規１のフィット感を向上させてもよい。
【符号の説明】
【００２８】
１    定規
２    定規本体
３    収容穴
４    第１接触体
５    第２接触体
３０    底部
４０    露出面
５０    曲面
【図５】
2013154562.tif 000003
【図１】
2013154562.tif 000004
【図２】
2013154562.tif 000005
【図３】
2013154562.tif 000006
【図４】
2013154562.tif 000007